【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
回路基板と、
前記回路基板上に搭載された光素子と、
前記回路基板上に搭載された前記光素子を駆動するための電子部品と、
前記光素子と光学的に結合すると共に光コネクタと接続するための光学ブロックと、
前記光学ブロックに装着して設けられる光学ブロック補強材と、
前記回路基板、前記光素子、前記電子部品、前記光学ブロック及び前記光学ブロック補強材を収容するケースと、
を備え、
前記光学ブロックは、前記光コネクタ接続時の押し圧を受ける面側に前記光学ブロック補強材と係止するための係止部が形成され、
前記光学ブロック補強材は、前記光学ブロックを覆う上蓋と前記光コネクタの幅方向に対して垂直な前記光学ブロックの両側面を覆う両側壁とからなり、
前記光学ブロック補強材は、前記光学ブロックが装着されるさいに、前記光コネクタの接続方向と対向する方向から前記係止部と当接されて係止される光モジュール。
【請求項２】
前記係止部は前記光学ブロックの上面に形成された上側係止部と前記光学ブロックの両側面に形成された横側係止部とからなり、
前記上側係止部と前記光学ブロック補強材の前記上蓋が係止し、前記横側係止部と前記光学ブロック補強材の前記両側壁が係止する請求項１記載の光モジュール。
【請求項３】
前記光学ブロックは、前記光コネクタと接続するためのガイドピンと該ガイドピンの基端部に形成され前記光コネクタとの突き当て面となる受け面を有する略柱状の受け部とからなる凸状突起部と、前記光コネクタと接続される前記光学ブロックの接続面側に形成され前記光コネクタに配設された光ファイバに光学的に結合されるファイバ結合部材とからなり、前記受け部は前記ファイバ結合部材の焦点距離に等しい突出量である請求項２記載の光モジュール。
【請求項４】
請求項３記載の光モジュールに用いられる光学ブロック補強材であって、
前記光学ブロックを覆う前記上蓋と前記光コネクタの幅方向に対して垂直な前記光学ブロックの両側面を覆う前記両側壁とからなる光学ブロック補強材。
【請求項５】
請求項３記載の光モジュールに用いられる光学ブロックであって、
前記光コネクタ接続時の押し圧を受ける面側に前記光学ブロック補強材と係止するための前記係止部が形成され、前記光コネクタと接続するための前記ガイドピンと前記ガイドピンの基端部に形成され前記光コネクタとの突き当て面となる前記受け面を有する略柱状の前記受け部とからなる前記凸状突起部と、前記光コネクタと接続される前記光学ブロックの接続面側に形成され前記光コネクタに配設された光ファイバに光学的に結合される前記ファイバ結合部材とからなり、前記受け部は前記ファイバ結合部材の焦点距離に等しい突出量である光学ブロック。
【手続補正２】
【補正対象書類名】明細書
【補正対象項目名】発明の名称
【補正方法】変更
【補正の内容】
【発明の名称】光モジュール、光学ブロック補強材及び光学ブロック
【手続補正３】
【補正対象書類名】明細書
【補正対象項目名】００１３
【補正方法】変更
【補正の内容】
【００１３】
そこで、本発明の目的は、リジッド基板からなる回路基板を用いて、光学ブロックと回路基板の連結固定部分に発生するストレスを低減することが可能な光モジュール、光学ブロック補強材及び光学ブロックを提供することにある。
【手続補正４】
【補正対象書類名】明細書
【補正対象項目名】００１４
【補正方法】変更
【補正の内容】
【００１４】
本発明は上記目的を達成するために創案されたものであり、請求項１の発明は、回路基板と、前記回路基板上に搭載された光素子と、前記回路基板上に搭載された前記光素子を駆動するための電子部品と、前記光素子と光学的に結合すると共に光コネクタと接続するための光学ブロックと、前記光学ブロックに装着して設けられる光学ブロック補強材と、前記回路基板、前記光素子、前記電子部品、前記光学ブロック及び前記光学ブロック補強材を収容するケースと、を備え、前記光学ブロックは、前記光コネクタ接続時の押し圧を受ける面側に前記光学ブロック補強材と係止するための係止部が形成され、前記光学ブロック補強材は、前記光学ブロックを覆う上蓋と前記光コネクタの幅方向に対して垂直な前記光学ブロックの両側面を覆う両側壁とからなり、前記光学ブロック補強材は、前記光学ブロックが装着されるさいに、前記光コネクタの接続方向と対向する方向から前記係止部と当接されて係止される光モジュールである。
【手続補正５】
【補正対象書類名】明細書
【補正対象項目名】００１５
【補正方法】変更
【補正の内容】
【００１５】
請求項２の発明は、前記係止部は前記光学ブロックの上面に形成された上側係止部と前記光学ブロックの両側面に形成された横側係止部とからなり、前記上側係止部と前記光学ブロック補強材の前記上蓋が係止し、前記横側係止部と前記光学ブロック補強材の前記両側壁が係止する請求項１記載の光モジュールである。
【手続補正６】
【補正対象書類名】明細書
【補正対象項目名】００１６
【補正方法】変更
【補正の内容】
【００１６】
請求項３の発明は、前記光学ブロックは、前記光コネクタと接続するためのガイドピンと該ガイドピンの基端部に形成され前記光コネクタとの突き当て面となる受け面を有する略柱状の受け部とからなる凸状突起部と、前記光コネクタと接続される前記光学ブロックの接続面側に形成され前記光コネクタに配設された光ファイバに光学的に結合されるファイバ結合部材とからなり、前記受け部は前記ファイバ結合部材の焦点距離に等しい突出量である請求項２記載の光モジュールである。
【手続補正７】
【補正対象書類名】明細書
【補正対象項目名】００１７
【補正方法】変更
【補正の内容】
【００１７】
請求項４の発明は、請求項３記載の光モジュールに用いられる光学ブロック補強材であって、前記光学ブロックを覆う前記上蓋と前記光コネクタの幅方向に対して垂直な前記光学ブロックの両側面を覆う前記両側壁とからなる光学ブロック補強材である。
【手続補正８】
【補正対象書類名】明細書
【補正対象項目名】００１８
【補正方法】変更
【補正の内容】
【００１８】
請求項５の発明は、請求項３記載の光モジュールに用いられる光学ブロックであって、前記光コネクタ接続時の押し圧を受ける面側に前記光学ブロック補強材と係止するための前記係止部が形成され、前記光コネクタと接続するための前記ガイドピンと前記ガイドピンの基端部に形成され前記光コネクタとの突き当て面となる前記受け面を有する略柱状の前記受け部とからなる前記凸状突起部と、前記光コネクタと接続される前記光学ブロックの接続面側に形成され前記光コネクタに配設された光ファイバに光学的に結合される前記ファイバ結合部材とからなり、前記受け部は前記ファイバ結合部材の焦点距離に等しい突出量である光学ブロックである。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】